(57)【特許請求の範囲】
【請求項１】
壁で仕切られた二つの空間のうち一方の空間側に一の開口部を位置させると共に、他方の空間側に他の開口部を位置させて配設され、前記一方の空間と他方の空間との間で空気流通可能とする換気装置本体と、当該換気装置本体内部に可動状態で配設され、空気の通過状態を調整する羽根体とを備える換気装置において、
前記換気装置本体が、前記各開口部をそれぞれの開口面が互いに略直角をなす配置関係として形成され、前記両開口部を除いた部分を閉じられて一の開口部と他の開口部との間に前記羽根体の一部を収容する中空部を生じさせた箱状体とされてなり、
前記羽根体が、二つの略板状の羽根部材を互いに略直角をなす配置関係で一体化させて形成され、少なくとも前記一の開口部を一方の羽根部材で閉塞すると共に他の開口部を他方の羽根部材で閉塞する位置から、一の開口部を前記他方の羽根部材で閉塞する位置までの角度範囲で傾動可能とされて前記換気装置本体に取付けられ、且つ、羽根体の傾動に際して前記各羽根部材が前記各開口部から離れている状態に羽根体を保持しようとする向きの所定の付勢力で羽根体が付勢されてなり、
前記羽根体が、前記各空間から加わる風圧に応じて前記各開口部との間隔を変化させ、前記一方の空間から加わる風圧が一定限度以上の場合には羽根体全体で他方の空間側へ傾動して他の開口部を前記他方の羽根部材でほぼ閉塞可能とすると共に一の開口部を前記一方の羽根部材でほぼ閉塞可能とし、また、前記他方の空間から加わる風圧が一定限度以上の場合には羽根体全体で一方の空間側へ傾動して一の開口部を前記他方の羽根部材でほぼ閉塞可能とすることを
特徴とする換気装置。
【請求項２】
前記請求項１に記載の換気装置において、
前記換気装置本体が、前記各開口部の開口面をそれぞれ平面状とされると共に、前記一の開口部を側方に、前記他の開口部を上方にそれぞれ向けた配置で配設され、
前記羽根体が、羽根部材同士の交差位置近傍に傾動の中心と一致する軸部を有してなり、当該軸部が前記一の開口部内に羽根体重心位置より上側となる位置関係で軸支され、
前記羽根体に加わる付勢力が、羽根体重心位置の傾動中心直下からのずれに伴って生じる回転モーメントによるものとなることを
特徴とする換気装置。
【請求項３】
前記請求項２に記載の換気装置において、
前記羽根体が、前記換気装置本体の外側に延出した軸部に、当該軸部と一体に傾動可能とされる一又は複数の錘を取付けられることを
特徴とする換気装置。
【請求項４】
前記請求項２又は３に記載の換気装置において、
前記換気装置本体内部における底面が、前記中空部側から一方の空間側へ向けて徐々に下がる勾配を付与されてなることを
特徴とする換気装置。
【請求項５】
前記請求項４に記載の換気装置において、
前記換気装置本体における一の開口部の下部となる底面所定位置から起立状態で配設される略板状のストッパ部を備え、
当該ストッパ部の最下部所定位置に、水を少なくとも前記中空部側から一方の空間側へ通過させられる水抜き孔を一又は複数設けることを
特徴とする換気装置。
【請求項６】
前記請求項２ないし５のいずれかに記載の換気装置において、
前記換気装置本体における前記他の開口部の近傍部分で且つ前記羽根体から離れた側で他の開口部に隣接する所定部位に、前記中空部の上側に連通する所定の空間を生じさせる略箱状の本体拡張部が配設され、
前記中空部から他の開口部を通過して前記他方の空間へ向う気流が、中空部から一旦前記本体拡張部内の空間に進入し、本体拡張部内で向きを変えて前記中空部へ戻る向きに進んだ後、さらに向きを変えて他の開口部を通過することを
特徴とする換気装置。
【請求項７】
前記請求項１ないし６のいずれかに記載の換気装置において、
前記羽根体をいずれか一方の開口部を閉塞する状態まで強制傾動させる強制傾動手段と、
前記羽根体の自由な傾動を許容する状態と羽根体を前記強制傾動手段の拘束下におく状態とを切替え可能とされる動作切替手段とを備え、
前記羽根体で換気装置本体における前記二空間の連通・非連通状態を強制的に切替え可能とすることを
特徴とする換気装置。
【請求項８】
前記請求項７に記載の換気装置において、
前記強制傾動手段が、前記羽根体を傾動させる駆動力を発生させる駆動装置であることを
特徴とする換気装置。
【請求項９】
前記請求項１ないし８のいずれかに記載の換気装置において、
前記換気装置本体における各開口部、及び羽根体が、羽根体傾動中心軸方向に複数並べて配設されることを
特徴とする換気装置。
【発明の詳細な説明】
【技術分野】
【０００１】
本発明は、建物の外部空間と室内空間など、二つの空間の間に介在させて配置され、この二空間の間での換気を可能とする換気装置に関し、特に、簡略な羽根体傾動機構で空気の流入出状態を適切に調整管理可能な換気装置に関する。
【背景技術】
【０００２】
高層建築物においては、突風等への対応や外壁構造簡略化の面から、窓は開閉できない構造とされ、空気調和設備は外から隔離された室内空間に対し常時空気調和を行うものとされるのが一般的であった。こうした空気調和設備では、中間期等、外気の温度範囲が適切で内外の換気のみでかまわない状況にも拘らず、そのまま内外隔離状態で室内への空気調和が行われており、季節を問わず空気調和のコストが発生することから、近年、外部の適温の空気を直接室内空間に導入して換気を行い、空気調和のコストを軽減する試みがなされている。こうした外気を室内に導入して換気を行うための機構は、なるべくコストを抑えるために、外壁のいずれかの箇所に開口を設け、所定の開閉制御を行いつつ、自然風に任せて外部から室内側へ空気を導入する自然換気タイプとされることが多かった。こうした自然換気を行うための従来の自然換気装置の一例として、特開平１０−２３２０３９号公報や特開２００１−２２１４９２号公報に記載されるものがある。
【０００３】
前記従来の自然換気装置は、外壁（カーテンウォール）の窓枠部分等に配設されて空気を通過させる開口部分を設けられる枠状の換気装置本体と、換気装置本体の開口領域に所定角度範囲で傾動可能に配設される羽根部とを備える他、必要に応じて防塵フィルタや雨水進入防止機構、防鳥網等も有してなる構成である。
【０００４】
これら従来の自然換気装置では、外部空気の換気装置本体への流入風速に対応して、開口領域に配置される羽根部が傾動し、装置本体内流路の開口面積を変化させることにより、外部空気の室内流入量を調整している。風速があらかじめ設定された値を上回る場合には、羽根部が流路を閉塞状態として室内への過剰な空気流入を抑える仕組みである。また、換気の必要がない場合、羽根部を必要に応じてモータ等（図示を省略）を用いて傾動させ、強制閉状態とすることもできる。
【特許文献１】特開平１０−２３２０３９号公報
【特許文献２】特開２００１−２２１４９２号公報
【発明の開示】
【発明が解決しようとする課題】
【０００５】
従来の自然換気装置は以上のように構成されており、前記各特許文献に示された従来の装置は、いずれも外部空気の室内流入状態を風圧に応じた羽根部の傾動角度変化で調整でき、強風時には適切に室内への流入を防止できるものとなっている。特に、前記特許文献１に記載の装置は、強風時の外部から室内への空気流入を抑えられる他に、装置のある建物外面側が風下側になるなどして室内側の圧力が外部側より相対的に高くなった場合に、別の羽根部の動作で流路を閉鎖でき、室内側からの空気流出が過剰となって室内に不快な空気流が発生する等、空気調和状態が乱れるようなことも防止できる。しかし、前記特許文献１に記載の装置は、外部から室内への流入制御と室内から外部への流出制御をそれぞれ別体の羽根部で個別に行っていることから、機構が複雑化、大型化し、建物への設置に制約が生じると共に、高コストになるという課題を有していた。
【０００６】
また、前記特許文献２に記載の装置は、羽根部を一つのみとし、コンパクトな構成にできるものの、室内側からの空気流出状態の調整は考慮されておらず、外部より室内側の圧力が相対的に高くなった場合、そのままでは室内空間から外部への空気流出を抑えることができず、外部への急激な空気流出に伴う室内への不快な空気流発生を抑えるためには、羽根部を強制閉状態とする他なく、継続的に自然換気を行うことが難しいという課題を有していた。
【０００７】
さらに、前記各特許文献に記載された従来いずれの例も、気流通路内に羽根部の傾動中心軸が貫通しており、強制閉状態における換気装置本体と羽根部との間の気密確保が、可動状態を維持する必要のあるこの軸部分で難しくなり、気密と可動状態の両立を図るために気密保持機構が複雑化してコスト高になるという課題を有していた。
【０００８】
本発明は前記課題を解消するためになされたもので、空間への気流の流入出を制御する羽根体を適切に傾動させて気流の流入出状態を確実に調整可能とすることができ、換気効果を最大限高められると共に、換気状態制御及び気密保持の機構を簡略にして低コスト化できる換気装置を提供することを目的とする。
【課題を解決するための手段】
【０００９】
本発明に係る換気装置は、壁で仕切られた二つの空間のうち一方の空間側に一の開口部を位置させると共に、他方の空間側に他の開口部を位置させて配設され、前記一方の空間と他方の空間との間で空気流通可能とする換気装置本体と、当該換気装置本体内部に可動状態で配設され、空気の通過状態を調整する羽根体とを備える換気装置において、前記換気装置本体が、前記各開口部をそれぞれの開口面が互いに略直角をなす配置関係として形成され、前記両開口部を除いた部分を閉じられて一の開口部と他の開口部との間に前記羽根体の一部を収容する中空部を生じさせた箱状体とされてなり、前記羽根体が、二つの略板状の羽根部材を互いに略直角をなす配置関係で一体化させて形成され、少なくとも前記一の開口部を一方の羽根部材で閉塞すると共に他の開口部を他方の羽根部材で閉塞する位置から、一の開口部を前記他方の羽根部材で閉塞する位置までの角度範囲で傾動可能とされて前記換気装置本体に取付けられ、且つ、羽根体の傾動に際して前記各羽根部材が前記各開口部から離れている状態に羽根体を保持しようとする向きの所定の付勢力で羽根体が付勢されてなり、前記羽根体が、前記各空間から加わる風圧に応じて前記各開口部との間隔を変化させ、前記一方の空間から加わる風圧が一定限度以上の場合には羽根体全体で他方の空間側へ傾動して他の開口部を前記他方の羽根部材でほぼ閉塞可能とすると共に一の開口部を前記一方の羽根部材でほぼ閉塞可能とし、また、前記他方の空間から加わる風圧が一定限度以上の場合には羽根体全体で一方の空間側へ傾動して一の開口部を前記他方の羽根部材でほぼ閉塞可能とするものである。
【００１０】
このように本発明によれば、略直角をなす配置関係となる二つの開口部を有する箱状の換気装置本体を、換気を行おうとする二つの空間に各開口部をそれぞれ向けた状態で配設すると共に、二つの羽根部材が一体化されてなる羽根体をいずれの開口部も閉塞可能に配設し、羽根体を開口部間で二空間の圧力差に応じて自由に傾動させ、羽根体と開口部との間隔を変化させて二空間間の換気状態を調整することにより、一方の空間における空気の風速や圧力が適正範囲を超える場合には風圧で羽根体が傾動して流路をほぼ閉塞可能とし、他方の空間に対する空気の急速な流入と流出の両方を防いで適切な空気調和状況を乱さない一方、通常状態では付勢力と風速や圧力とのバランスに基づいて羽根体が適切な開度状態で保持されて通風状態を許容することができ、換気調節性能に優れる上、羽根体形状から換気装置本体内の流路形状が複雑にならず、流路の抵抗を抑えて換気の処理風量を大きくできる。また、他の開口部に対しては羽根体のうち一羽根部材の接近と離隔で閉塞と開放を切替えられることとなり、羽根体の傾動中心軸を他の開口部から離れた箇所に設定できることから、簡略な閉塞機構ながら他の開口部を隙間無く閉止して確実に空気の漏れを防ぐ構造とすることができ、開口の閉塞状態での気密の確保が低コストで実現できる。
【００１１】
また、本発明に係る換気装置は必要に応じて、前記換気装置本体が、前記各開口部の開口面をそれぞれ平面状とされると共に、前記一の開口部を側方に、前記他の開口部を上方にそれぞれ向けた配置で配設され、前記羽根体が、羽根部材同士の交差位置近傍に傾動の中心と一致する軸部を有してなり、当該軸部が前記一の開口部内に羽根体重心位置より上側となる位置関係で軸支され、前記羽根体に加わる付勢力が、羽根体重心位置の傾動中心直下からのずれに伴って生じる回転モーメントによるものとなるものである。
【００１２】
このように本発明によれば、羽根体の軸部が、一の開口部内に位置し且つ羽根体の重心位置より上側となる配置で軸支され、羽根体が釣合状態から傾動して羽根体重心位置が軸部直下からずれると、軸部周りに羽根体を元の釣合状態に戻そうとする回転モーメントが生じ、羽根体は釣合状態にとどまろうとする傾動方向へ付勢されることにより、羽根体には羽根体自体の荷重に基づく付勢力が加わることとなり、羽根体以外の付加的な機構を用いることなく羽根体を付勢できることとなり、羽根体の付勢に係る機構部分を大幅に簡略化して低コスト化できる。
【００１３】
また、本発明に係る換気装置は必要に応じて、前記羽根体が、前記換気装置本体の外側に延出した軸部に、当該軸部と一体に傾動可能とされる一又は複数の錘を取付けられるものである。
このように本発明によれば、羽根体の軸部に装着される錘の重さと取付位置を変えて羽根体の重心位置を羽根体上で移動させたり、羽根体の傾動に対する抵抗力を変化させたりすることにより、羽根体が傾動して羽根体重心位置が軸部直下からずれた際に羽根体に生じる回転モーメントの大きさを適宜変化させて、羽根体に加わる風圧に対する羽根体の傾動具合を調整することができ、羽根体が各開口部を閉塞する位置まで傾動する空気の設定風速又は風圧を空気調和状況や周囲環境の各条件に応じて調節できることとなり、換気性能を最大限に発揮させられる。
【００１４】
また、本発明に係る換気装置は必要に応じて、前記換気装置本体内部における底面が、前記中空部側から一方の空間側へ向けて徐々に下がる勾配を付与されてなるものである。
このように本発明によれば、換気装置本体の底面部分に一方の空間へ向けての下り勾配が与えられ、換気装置本体内の水を底面に沿って流して装置外へ排出させられることにより、雨等として外部空気と共に換気装置本体に進入した水が一の開口部から中空部に入った場合も、水を装置内に溜めることなく外へ流出させることができ、水が気流と共に中空部から羽根体や他の開口部を越えて先へ進むことが困難であることと合わせ、水が他の空間側へ達するのを防止でき、水による換気装置その他への悪影響を防止できる。
【００１５】
また、本発明に係る換気装置は必要に応じて、前記換気装置本体における一の開口部の下部となる底面所定位置から起立状態で配設される略板状のストッパ部を備え、当該ストッパ部の最下部所定位置に、水を少なくとも前記中空部側から一方の空間側へ通過させられる水抜き孔を一又は複数設けるものである。
【００１６】
このように本発明によれば、換気装置本体の一の開口部位置にストッパ部を起立配設し、一の開口部を通じて換気装置本体に対し流出入する気流の一部が、起立状態のストッパ部に当って向きを上向きに変えて進み、羽根体のうち気流進行方向前方側の羽根部材に向うことにより、上向きの気流が羽根体を押して羽根体の傾動を促すこととなり、風量が小さい場合でも羽根体を閉塞側に傾動可能となり、羽根体に小風量に対応した動作を確実に行わせることができる。さらに、ストッパ部の下部には水抜き孔が配設され、中空部内の水をこの水抜き孔を通じて中空部外に流出させられることにより、雨等として外部空気と共に換気装置本体に進入した水がストッパ部を越えて中空部に入った場合も、この水抜き孔から外へ流出させることができ、水が中空部に溜ったり他の空間側へ達するのを防止できる。
【００１７】
また、本発明に係る換気装置は必要に応じて、前記換気装置本体における前記他の開口部の近傍部分で且つ前記羽根体から離れた側で他の開口部に隣接する所定部位に、前記中空部の上側に連通する所定の空間を生じさせる略箱状の本体拡張部が配設され、前記中空部から他の開口部を通過して前記他方の空間へ向う気流が、中空部から一旦前記本体拡張部内の空間に進入し、本体拡張部内で向きを変えて前記中空部へ戻る向きに進んだ後、さらに向きを変えて他の開口部を通過するものである。
【００１８】
このように本発明によれば、換気装置本体の他の開口部近傍に本体拡張部を配置し、換気装置本体内の中空部を通って他の開口部へ向う気流が本体拡張部内の空間を経由するようにし、他の開口部に達する直前の気流を本体拡張部内から中空部側へ向う流れとすることにより、羽根体の他の羽根部材が他の開口部に近付いた状態では、本体拡張部から出た気流が羽根部材に下向きの圧力を与えつつ、向きを変えて他の開口部を通過する状態となり、羽根体の他の開口部に向う傾動に対する抵抗を生じさせて羽根体による他の開口部の急速な閉鎖を防止でき、他の羽根部材が他の開口部の近くに達した状態でも、それ以前の傾動と同様に羽根体の気流の強さに一対一に対応した傾動角度で羽根体を傾動させられ、他の開口部における開口具合に応じた気流通過を維持できる。
【００１９】
また、本発明に係る換気装置は必要に応じて、前記羽根体をいずれか一方の開口部を閉塞する状態まで強制傾動させる強制傾動手段と、前記羽根体の自由な傾動を許容する状態と羽根体を前記強制傾動手段の拘束下におく状態とを切替え可能とされる動作切替手段とを備え、前記羽根体で換気装置本体における前記二空間の連通・非連通状態を強制的に切替え可能とするものである。
【００２０】
このように本発明によれば、羽根体を傾動させる強制傾動手段、及び羽根体の拘束状態を切替える動作切替手段を配設し、必要に応じて羽根体を強制傾動手段でいずれかの開口部側に強制傾動させ、羽根体で開口部を確実に閉塞した強制閉止状態が得られることにより、換気装置を通じて二つの空間の換気を行う状態と換気装置を通じた換気を一切行わない状態とを強制的に切替えられることとなり、通常は適切に換気を行える一方、換気の必要がない場合や、夏期や冬期など外部からの空気流入が空調負荷となるために換気を行いたくない場合等に対応でき、空気の二空間の間での流通を抑えて各空間の状況を維持できる。
【００２１】
また、本発明に係る換気装置は必要に応じて、前記強制傾動手段が、前記羽根体を傾動させる駆動力を発生させる駆動装置であるものである。
このように本発明によれば、強制傾動手段として駆動装置を用い、所定の動作指示により駆動装置を動作させると、駆動装置が継手機構を介して羽根体を一体に拘束した状態とし、羽根体を一方の開口部側に強制傾動させ、羽根体で開口部を閉塞した強制閉止状態へ移行する一方、駆動装置に対し動作解除指示を行えば、羽根体の駆動装置への拘束が解かれ、羽根体は自由に傾動可能な状態に復帰することにより、装置から離れた箇所から遠隔操作が行える他、温度や降雨等の風速、風圧以外のパラメータを考慮した制御に基づいて自動的に強制閉止動作とその解除等を実行させることもでき、空間における空気調和状況にさらに適した換気状態が得られることとなる。
【００２２】
また、本発明に係る換気装置は必要に応じて、前記換気装置本体における各開口部、及び羽根体が、羽根体傾動中心軸方向に複数並べて配設されるものである。
このように本発明によれば、換気装置本体の開口部や羽根体を羽根体の傾動中心軸方向に複数配置し、換気装置本体が開口部開口面積を大きくする方向に長尺となる形状とされた場合に、開口部や羽根体を複数に分けてそれぞれ並べた配置状態として、これら装置主要部分が軸方向に長尺となるのを防止することにより、開口部や羽根体の長尺化に伴う施工性の悪化や、工作精度の劣化が避けられることとなり、羽根体が傾動して開口部閉塞位置に達した状態での羽根体と開口部の相互の位置精度を高めて、より確実な閉塞状態が得られる。
【発明を実施するための最良の形態】
【００２３】
以下、本発明の一実施の形態に係る換気装置を図１ないし図８に基づいて説明する。図１は本実施の形態に係る換気装置の概略正面図、図２は本実施の形態に係る換気装置の断面図、図３は本実施の形態に係る換気装置の羽根体軸部への錘取付状態説明図、図４は本実施の形態に係る換気装置における室内側への空気流入状態説明図、図５は本実施の形態に係る換気装置における室内側への空気流入時の閉止状態説明図、図６は本実施の形態に係る換気装置における外部側への空気流出状態説明図、図７は本実施の形態に係る換気装置における外部側への空気流出時の閉止状態説明図、図８は本実施の形態に係る換気装置の建物内配置状態説明図である。
【００２４】
前記各図において本実施の形態に係る換気装置１は、外壁で仕切られた建物外の外部空間３０と室内空間４０の二空間のうち外部空間３０側に一の開口部１１を位置させると共に、室内空間４０側に他の開口部１２を位置させて配設され、外部空間３０と室内空間４０との間で空気流通可能とする箱状の換気装置本体１０と、この換気装置本体１０内部に可動状態で配設され、空気の通過状態を調整する羽根体１３と、この羽根体１３を換気装置本体１０に対し必要に応じて傾動させて換気装置本体１０の外部側と室内側との連通・非連通状態を強制的に切替える前記強制傾動手段としての羽根体駆動装置１４とを備える構成である。
【００２５】
前記換気装置本体１０は、細長い矩形状となる各開口部のうち一の開口部１１を側方に、また他の開口部１２を上方に向けて配置される細長い箱状体であり、一の開口部１１正面側にある一端部を建物の外壁面３１寄りに位置させると共に、他端部を室内寄りに位置させる状態で、窓枠２０上側又は下側に沿って外壁（カーテンウォール）に埋込まれて配設され、建物外部空間３０と室内空間４０とを連通させて外部空気の室内空間４０への流入と室内空気の外部空間３０への流出を可能とする構成である。各開口部１１、１２はそれぞれ開口面を平面状とされ、これら各開口部１１、１２の開口面同士が９０°をなすように配置される構成である。
【００２６】
この換気装置本体１０内には、開口領域を横断して一の開口部１１の外縁を規定する板状の隔壁部１０ａが一体に設けられており、この隔壁部１０ａが開口部１１の横において羽根体１３の開口部１１閉塞時に羽根体１３と重なることとなる。換気装置本体１０の各開口部１１、１２周囲部分は、隔壁部１０ａをはじめとして平面状に形成される。そして、換気装置本体１０の両開口部１１、１２間の部分は、開口部１１、１２を除いて外部空間や室内空間から隔離された中空部１０ｂとなっており、羽根体１３の一部が常に収容された状態にある。
【００２７】
また、各開口部１１、１２の周囲には、羽根体１３と開口周辺部分との間隙を埋めて羽根体１３による開口部１１、１２の閉塞を確実なものにする気密材１１ａ、１１ｂ、１２ａがそれぞれ配設される。
この他、換気装置本体１０の外部側には、必要に応じて防鳥・防虫網、防塵フィルタが配設される。そして、換気装置本体１０底面には所定角度の下向きの勾配が与えられ、雨等として外部空気と共に換気装置本体１０内に進入した水が中空部１０ｂに入った場合も、水を底面に沿って外部側へ向けて流し、最終的に水を外部へ流出させることができる。この中空部１０ｂから水が室内側の開口部１２を越えて先へ進むことは、開口部１２の位置関係から極めて困難であり、水が室内側に達することはない。
【００２８】
前記羽根体１３は、換気装置本体１０の開口領域横断面より小で且つ前記各開口部１１、１２より大となる大きさとなる矩形の略板状体で形成される二つの羽根部材１３ａ、１３ｂを、互いに直角をなす向きに組合わせて一体化したものであり、羽根部材１３ａ、１３ｂの交差部分近傍に軸部１３ｃを一体形成され、開口部１１における開口面位置の上部に前記軸部１３ｃを位置させて換気装置本体１０に軸支され、この軸部１３ｃを傾動中心位置として、一の開口部１１を一の羽根部材１３ａで閉塞し且つ他の開口部１２を他の羽根部材１３ｂで閉塞する位置から、一の開口部１１を他の羽根部材１３ｂで閉塞する位置までの約９０°の角度範囲で傾動可能に配設される構成である。なお、開口部１１の各羽根部材１３ａ、１３ｂによる閉塞状態で、羽根部材１３ａ、１３ｂ先端と換気装置本体１０底面との隙間は１〜２ｍｍ程度になるように羽根体１３形状は設定されており、前記隙間での空気の漏れは問題ないレベルに抑えられる。ここで一の開口部１１は、換気装置本体１０における開口領域のうち、この羽根体１３の軸部１３ｃと隔壁部１０ａの占める面積分を除いた大きさとなっており、隔壁部１０ａ及び羽根体１３の軸部１３ｃの大きさにより、開口部１１の大きさが設定される仕組みである。
【００２９】
この羽根体１３の軸部１３ｃのうち、換気装置本体１０外に延出した部分の下方には、平板状の一又は複数の錘１３ｄがねじ止め等により一体に装着され、この装着される錘１３ｄの数を変えて羽根体１３の傾動しやすさを調整することで付勢力の調整が行えるようにしており、換気装置本体１０内を通過しようとする空気が所定の設定風速（風圧）に達した場合には、羽根体１３が各開口部１１、１２を閉塞する位置まで傾動する一方、設定値以下の場合は羽根体１３が付勢力で各開口部１１、１２から離れた状態を維持できるように調整される。
【００３０】
この羽根体１３の軸部１３ｃが、開口部１１の上部に位置して常に羽根体１３の重心位置より上側となる配置で軸支されることで、羽根体１３には羽根体１３自体及び錘１３ｄの荷重に基づいて羽根体１３の釣合いの取れる位置にとどまろうとする傾動方向への付勢力が加わる。すなわち、前記釣合位置から羽根体１３が傾動して羽根体１３重心位置が軸部１３ｃ直下からずれると、軸部１３ｃ周りに羽根体１３を前記釣合位置に戻そうとする回転モーメントが生じ、羽根体１３は釣合位置にとどまろうとする傾動方向へ付勢される仕組みとなっている。
【００３１】
この他、羽根体１３の各羽根部材１３ａ、１３ｂに平板状の錘をねじ止め等により装着すると共に、この錘の重さと取付位置を変えて羽根体１３の重心位置を偏らせるよう調整する構成とすることもでき、釣合状態を変化させて室内外の気流に対する羽根体１３の挙動の調整を行うこともできる。
【００３２】
こうして羽根体１３は、羽根体駆動装置１４の動作を受けて強制閉止状態に駆動される場合以外は、外部空間３０又は室内空間４０から羽根体１３に加わる風圧に応じて傾動し、羽根体１３各部と各開口部１１、１２との間隔を変化させられる状態となっており、羽根体１３の傾斜角度が風圧により変化することにより、羽根体１３と各開口部１１、１２との間隔、並びに羽根体１３と換気装置本体１０内面間の隙間の大きさが変化し、各開口部１１、１２を通る空気の通過風量が調整される一方、各空間から加わる風圧が一定限度以上の場合は羽根体１３が開口部１１又は開口部１２側へ近接してほぼ閉塞する仕組みとなっている。
【００３３】
なお、羽根体１３の軸部１３ｃは、開口部１１の上部に軸支されており、羽根体１３をスムーズに動かすために、換気装置本体１０の軸部１３ｃ軸支部分近傍で羽根体１３と換気装置本体１０間にわずかな隙間が生じており、羽根体１３で開口部１１を閉じている状態でもこの隙間が残って外部空間３０側と中空部１０ｂ側とのいずれにも連通する状態となるが、ここからの空気の漏れは、自然換気の場合には問題ない程度にとどまる。
【００３４】
前記羽根体駆動装置１４は、換気装置本体１０側部に側方へ突出する状態で配設され、羽根体１３の軸部１３ｃと継手機構１５を介して連結され、必要に応じて軸部１３ｃを回転駆動して羽根体１３を所定角度開口部１２側へ傾動させ、羽根体１３を開口部１２の強制閉止状態に移行させる構成である。この羽根体駆動装置１４の非動作状態では、羽根体１３は拘束されない状態となっており、この羽根体駆動装置１４で、羽根体１３の傾動を許容して換気装置本体１０の外部側と室内側を連通可能にする状態と、羽根体１３の強制閉止に伴って換気装置本体１０を非連通にする状態とを切替え可能とする仕組みである。この羽根体駆動装置１４は、羽根体１３の軸部１３ｃを回転駆動する公知のギヤドモータタイプのものであり、詳細な説明は省略する。
【００３５】
前記継手機構１５は、入力側から出力側へのみ力（トルク）を伝達し、逆の出力側から入力側へは伝達しない前記動作切替手段としての公知の機構であり、入力側を羽根体駆動装置１４に、また、出力側を羽根体１３の軸部１３ｃにそれぞれ取付けられ、羽根体駆動装置１４の動作状態では羽根体駆動装置１４からの入力を受けて羽根体１３の軸部１３ｃを一体に連動させ、羽根体駆動装置１４で羽根体１３を傾動可能とする一方、羽根体駆動装置１４からの入力がない通常の自然換気状態では、羽根体１３の軸部１３ｃは一切拘束されず、羽根体１３の羽根体駆動装置１４に対する自由な回転、すなわち、羽根体１３の自由な傾動を許容するものである。
【００３６】
次に、前記構成に基づく換気装置における空気流入出時動作について説明する。建物外に適切な風速範囲の風が吹いており、且つ室内空間が外部より圧力の低い状態では、換気装置本体１０の外側端部から外部の空気が進入し、羽根体１３の羽根部材１３ａと換気装置本体１０の内面間を進んで外部寄りの一の開口部１１を通過し、中空部１０ｂに進入する。外部空気の気流は羽根体１３に対し風圧を与えるが、羽根体１３を釣合状態にとどめようとする付勢力で、風圧による室内側への傾動はわずかな角度にとどまり、外部空気の室内側への進行を妨げない（図４参照）。
【００３７】
これにより、外部空気は羽根体１３の下を通って上向きに進行方向を変え、室内寄りの他の開口部１２を通過し、換気装置本体１０の室内側端部から室内空間に流入することとなる。適切な風速範囲においては、風速の大小により変化する風圧に応じて羽根体１３の傾動状態も変化し、羽根体１３と開口部１２間の間隔は、風圧小で間隔大に、また、風圧大で間隔小に変化することとなり、風速が大きい場合には空気の開口部１２通過を抑えるようにしてそのまま風量が大きくなるのを防止でき、風量がほぼ一定の適切な値に維持されることとなる。
【００３８】
なお、羽根体１３は二つの羽根部材１３ａ、１３ｂを有して風圧を受ける面積が大きいものの、羽根体１３全体の荷重も比較的大きくなっているため、風圧の微小な急変には追随しにくくなっており、傾動する過程で羽根体１３には細かい振れが生じず、空気の脈動を発生させて室内空間に不快な状況をもたらすようなことはない。さらに、羽根体１３がわずかに傾動する状況では、羽根体１３の形状と換気装置本体１０内面の位置関係から流路形状はあまり複雑にはならず、流路の抵抗を抑えることができ、処理風量を大きくできる。
【００３９】
建物外に吹く風の風速が高まり、適切な風速範囲を超えた状態では、換気装置本体１０に室内側へ向けて勢いよく進入した外部の空気が、羽根体の外寄り羽根部材１３ａ下を通って外寄りの開口部１１を通過し、中空部１０ｂに進入するが、この時、外部空気の風圧が大きくなっているために、羽根体１３を押す圧力が付勢力に打勝ち、羽根体１３が室内寄りに大きく傾動して一の羽根部材１３ａ側端部が隔壁部１０ａの気密材１１ａに当接すると共に、他の羽根部材１３ｂが室内寄りの開口部１２周囲部分の気密材１２ａに当接し、開口部１１、１２がほぼ塞がれた状態となる（図５参照）。
【００４０】
こうして開口部１１、１２が羽根体１３によりほとんど塞がれることで、外部空気の室内側への進行が抑えられ、室内に強い空気流が吹込む事態を防止できる。この時、羽根体１３が開口部１１、１２周囲の気密材１１ａ、１２ａに機械的な駆動力で強力に押付けられるわけではないので、羽根体１３と気密材１１ａ、１２ａとの間に若干隙間が残り、この隙間から室内側への外部空気のごくわずかな漏れを生じる場合もあるが、漏れ量やその流速は極めて小さいものであり、この漏れが室内空間の空気調和状態に影響を与えることはない。また、換気装置本体１０の羽根体１３の軸部１３ｃ軸支部分近傍には、羽根体１３をスムーズに動かすための若干の隙間が存在する状態となっているが、羽根体１３の羽根部材１３ｂで開口部１２を閉塞する際の羽根部材１３ｂと気密材１２ａとの間に残る隙間の方が小さいため、軸支部分近傍の隙間は問題とはならない。
【００４１】
一方、建物外に風が吹いているものの、換気装置１の面する外部側が風下側となった場合など、室内空間の圧力が外部より高くなっている状態では、換気装置本体１０の室内側端部から室内の空気が進入し、室内寄りの開口部１２を通過し、中空部１０ｂに進入する。室内空気の気流は羽根体１３に対し風圧を与えるが、前記外部から室内へ向う場合と同様、羽根体１３を釣合状態にとどめようとする付勢力で、風圧による外部側への傾動はわずかな角度にとどまり、室内空気の外部側への進行を妨げない（図６参照）。空気は羽根体１３の下を通って外部寄りの開口部１１を通過し、換気装置本体１０の外部側端部から外部に流出することとなる。
【００４２】
同じ状況でさらに風が強まるなど、室内空間に比べて外部の圧力が著しく低下し、適切な内外圧力差を超えた状態では、圧力差に伴い室内から換気装置本体１０に勢いよく進入した室内の空気が、室内寄りの開口部１２を通過し、中空部１０ｂに進入するが、この時、室内空気の風圧が大きいために、羽根体１３を押す圧力が付勢力に打勝ち、羽根体１３が外部寄りに大きく傾動して一の羽根部材１３ａが開口部１１正面上側の換気装置本体１０内面に配設された気密材１１ｃに当接すると共に、他の羽根部材１３ｂ側端部が隔壁部１０ａの気密材１１ｂに当接し、開口部１１が羽根体１３によりほぼ塞がれた状態となる（図７参照）。こうして開口部１１が羽根体１３により塞がれることで、室内空気の外部側への進行が抑えられ、室内空気の外部への流出に伴う室内への強い空気流の発生等も無くなり、室内の空気調和状態が乱れることはない。
【００４３】
この場合、羽根体１３は開口部１１周囲の気密材１１ｂ、１１ｃに機械的な駆動力で強く押付けられるわけではないので、羽根体１３と気密材１１ｂ、１１ｃとの間には若干隙間が残る上、羽根部材１３ｂ下端部と換気装置本体１０底面との間にもわずかに隙間が生じている。これらの隙間から外部側への室内空気のごくわずかな漏れを生じる場合もあるが、漏れ量やその流速は極めて小さいものであり、この漏れが室内空間の空気調和状態に影響を与えることはない。これは、換気装置本体１０における羽根体１３の軸部１３ｃ軸支部分近傍に生じているわずかな隙間についても同様であり、空気の漏れの影響はほとんどない。
【００４４】
この他、換気の必要がない場合や、夏期や冬期など外部からの空気流入が空調負荷となるために換気を行いたくない場合には、所定の操作により羽根体駆動装置１４を動作させ、継手機構１５を介して羽根体１３を羽根体駆動装置１４に一体に拘束した状態としつつ、羽根体１３を室内寄りに強制傾動させる。羽根体１３は羽根体駆動装置１４の駆動により傾動し、一の羽根部材１３ａが隔壁部１０ａの気密材１１ａに、また、他の羽根部材１３ｂが開口部１２周囲の気密材１２ａにそれぞれ強く押付けられることで、羽根体１３で開口部１１、１２を確実に閉塞した強制閉止状態となる。この強制閉止状態では、羽根部材１３ｂが傾動軸等の介在のない室内側の開口部１２を完全に覆って隙間無く閉塞できることとなり、一切漏れ等もなく、外部空気の室内側への進行、及び室内空気の外部側への進行が抑えられた状態となる。
【００４５】
そして、羽根体駆動装置１４の動作解除指示を行えば、羽根体１３の継手機構１５による羽根体駆動装置１４への拘束が解かれ、羽根体１３は自由に傾動可能な状態に復帰する。羽根体１３はその自重に伴う付勢力により各開口部１１、１２から離れ、同時に開口部１１、１２は開放されて再び換気可能な状態が得られる。
【００４６】
なお、この動作説明中では省略したが、建物における換気装置１設置箇所とは別の所定箇所には、換気装置１と同様の構成を有して、室内空間４０と他の室内空間あるいは外部空間３０との間の空気流通を制御する他の換気装置が一又は複数存在しており、風圧に応じた動作を個々に行いながら、結果として、換気装置１が外部空間３０から室内空間４０へ空気を取入れる際には、他の換気装置が逆に室内空間３０から空気を流出させ、また、換気装置１が室内空間４０から外部空間３０へ空気を流出させる際には、他の換気装置が逆に室内空間４０へ空気を流入させるなど、換気装置１と連係して換気動作しており、換気装置全体として換気対象となる室内空間３０に対し自然風に基づく自然換気を確実に行える仕組みとなっている。
【００４７】
例えば、図８に示すように、建物内に一つの室内空間４０があり、且つ建物の対向する二つの外壁に換気装置１、２をそれぞれ複数組設置している場合、外部空間３０における自然風の風上側となる外壁に設けられる換気装置１では、外部空気の風圧が大きく、羽根体１３を室内空間４０寄りに傾動させながら外部空間３０から室内空間４０へ外部空気が流入する（図４参照）。一方、これと同時に、風下側となる外壁に設けられる他の換気装置２では、この風下側で外部空間３０の圧力が下がっていることに伴って室内空気の風圧が相対的に大きくなり、羽根体１３を外部空間３０寄りに傾動させながら室内空間４０から外部空間３０へ室内空気が流出し（図６参照）、こうして自然風に基づく室内と外部との換気が実現することとなる。仮に自然風が所定限度以上の強風となった際には、風上側の換気装置では風圧で傾動した羽根体が室内寄りの開口孔を塞いで閉塞状態とし（図５参照）、また、風下側の換気装置では風圧で傾動した羽根体が外部寄りの開口孔を塞いで閉塞状態とし（図７参照）、室内空間４０における空気の急激な流入出を防ぐ。
【００４８】
このように、本実施の形態に係る換気装置では、略直角をなす配置関係となる二つの開口部１１、１２を有する箱状の換気装置本体１０を、換気を行おうとする二つの空間に各開口部１１、１２をそれぞれ向けた状態で配設すると共に、二つの羽根部材１３ａ、１３ｂが一体化されてなる羽根体１３をいずれの開口部１１、１２も閉塞可能に配設し、羽根体１３を換気装置本体１０内で二空間の圧力差に応じて自由に傾動させ、羽根体１３と開口部１１、１２との間隔を変化させて二空間間の換気状態を調整することから、一方の空間における空気の風速や圧力が適正範囲を超える場合には風圧で羽根体１３が傾動して流路を閉塞可能とし、他方の空間に対する空気の急速な流入と流出の両方を防いで適切な空気調和状況を乱さない一方、通常状態では付勢力と風速や圧力とのバランスに基づいて羽根体１３が適切な開度状態で保持されて通風状態を許容することができ、簡略な構造ながら換気調節性能に優れる。また、室内側の開口部１２に対しては羽根体１３のうち羽根部材１３ｂの接近と離隔で閉塞と開放を切替えられることとなり、羽根体１３の傾動中心軸を開口部１２から離れた箇所に設定できることから、簡略な閉塞機構ながら開口部１２を隙間無く閉止して確実に空気の漏れを防ぐ構造とすることができ、開口閉塞状態での気密の確保が低コストで実現できる。
【００４９】
なお、前記実施の形態に係る換気装置においては、強制傾動手段としての羽根体駆動装置１４を用いて、羽根体１３を強制閉止状態まで駆動する構成としているが、これに限らず、羽根体１３を強制的に傾動させる手段として手動操作機構を配設し、作業者が手操作で羽根体１３を傾動可能とする構成とすることもでき、羽根体１３の強制閉止のための機構を大幅に簡略化してコストダウンが図れる。
【００５０】
また、前記実施の形態に係る換気装置において、羽根体１３の形状や軸支位置、錘１３ｄの配設位置設定等を工夫し、羽根体１３を傾動させると、軸部１３ｃ直下から重心がずれて軸部１３ｃ周りに回転モーメントが生じることを利用して、羽根体１３を開口部１１、１２から離した釣合状態にとどめる付勢力を発生させる構成としているが、これに限らず、付勢力を発生させる手段として、ばね等を用いる構成とすることもできる。さらに、羽根体１３が、その軸部１３ｃを軸支されることで傾動可能に支持される構成としているが、この他、例えば羽根体１３の側端部が換気装置本体１０側部に設けられる円弧状の溝に一部嵌合しつつ摺動自在に支持されるようにすることで、羽根体１３を傾動可能とする構成を得ることもできる。
【００５１】
また、前記実施の形態に係る換気装置においては、羽根体１３の傾動軸と平行な装置長手方向を横向きとして窓枠２０上側又は下側に沿って壁に埋込んで配設する構成としているが、これに限らず、羽根体１３を開口部１１、１２から離した釣合状態にとどめる付勢力を発生させる手段として、重力を利用しないばね等の機構を用いる場合には、装置長手方向を縦向きとして、窓縦枠の一部として、又は窓枠横の外壁に埋込む等して配設する構成とすることもでき、特に窓縦枠の一部とした場合には、大きなスペースを占めることなくコンパクトに配設でき、周囲の窓や外壁との調和の取れたすっきりとした外観を得ることができる。
【００５２】
また、前記実施の形態に係る換気装置において、羽根体１３の軸部１３ｃから下方に突出状態として一組の錘１３ｄを配設し、錘１３ｄの重量によって傾動可能部分全体の重心位置を羽根体１３単独の重心位置から移動させられるようにし、羽根体１３を開口部１１、１２から離した釣合状態にとどめる付勢力の大きさを調整可能とする構成としているが、この他、軸部１３ｃに対し錘を複数取付けると共に、その配置を軸中心について対称配置として、傾動可能部分全体の重心位置を羽根体１３単独の重心位置から動かさないようにしつつ、羽根体１３傾動時の回転モーメントは変化させ、付勢力の発生具合を変化させる構成とすることもでき、気流変化に対する追随度合など羽根体１３傾動動作に一層の変化を与えられることとなる。
【００５３】
また、前記実施の形態に係る換気装置においては、外壁内部に設置して建物の外部空間３０と室内空間４０との換気に用いる構成としているが、これに限らず、外部に面する部屋に囲まれて一又は複数の部屋が存在するなど、室内空間が外部に面しない壁を隔てて隣合う場合に対応して、こうした室内空間の間の壁に換気装置を配設し、これら室内空間間の換気に用いることもでき、二つの室内空間間に適切な範囲内の圧力差が生じる際には、前記実施形態同様に換気が実現することとなる。
【００５４】
また、前記実施の形態に係る換気装置において、換気装置本体１０の開口部１１、１２や羽根体１３はそれぞれ一つずつ配設する構成としているが、これに限らず、図９に示すように、換気装置本体１０の開口部１１や羽根体１３を羽根体１３の傾動中心軸方向に複数配置する構成とすることもでき、換気装置本体１０が羽根体１３の傾動中心軸方向をはじめとする開口孔開口面積を大きくする向きに長尺となる形状とされた場合に、開口部１１や羽根体１３が一つずつではこれらも長尺とせざるを得ず、長尺化に伴う施工性の悪化や、工作精度の劣化を招いてしまうなどの問題が生じるのに対し、こうした開口部１１や羽根体１３を複数並べて配設することで、換気装置本体１０が長尺となった場合でも一つ一つの開口部１１や羽根体１３をそれぞれ長尺とせずに済み、これら開口部１１や羽根体１３の長尺化に伴う前記問題点を回避できることとなり、羽根体１３が傾動して開口部１１閉塞位置に達した状態での各羽根体１３と開口部１１の相互の位置精度を高めて、より確実な閉塞状態が得られる。
【００５５】
また、前記実施の形態に係る換気装置においては、開口部１１の側方にのみ隔壁部１０ａを設ける構成としているが、これに限らず、図１０に示すように、開口部１８位置の換気装置本体１６底面から突出させて隔壁部１６ａの一部をなすストッパ部１６ｃを配設し、表裏両面に気密材１８ａ、１８ｂを配設する一方、ストッパ部１６ｃに対応させて羽根体１７の各羽根部材１７ａ、１７ｂの長さを短縮する構成とすることもでき、羽根体１７による開口部１８の閉塞度を高められると共に、開放状態では開口部１８、１９を通じて換気装置本体１６内へ進入する気流の一部が、ストッパ部１６ｃに当って向きを上向きに変えて進み、羽根体１７のうち気流進行方向前方側の羽根部材に向うことで、上向きの気流が羽根体１７を押して羽根体１７の傾動を促せることとなり、風量が小さい場合でも羽根体１７の傾動動作を確実に行わせて換気状態を適切に制御可能となる。このストッパ部１６ｃを設ける場合、ストッパ部１６ｃの下部に水抜き孔１６ｄを配設することで、雨等として外部空気と共に換気装置本体１６に進入した水がストッパ部１６ｃを越えて中空部１６ｂに入った場合に、この水抜き孔１６ｄを通じて外部に流出させられ、水が中空部１６ｂに溜ったり他の空間側へ達するのを防止できる。
【００５６】
さらに、前記実施の形態に係る換気装置においては、換気装置本体１０を開口部１１、１２以外は複雑な形状とならない略箱状に形成する構成としているが、これに限らず、図１１に示すように、換気装置本体５０の他の開口部５２近傍に略箱状の本体拡張部５０ａを配設し、開口部５２側方に中空部５０ｂから上方に延出する空間を生じさせる構成とすることもできる。前記実施形態の構成では、羽根体１３が他の開口部１２にある程度近付いた状態で気流の強さが所定値に達すると、羽根体１３の他の羽根部材１３ｂと他の開口部１２間にまだ間隔があるにも拘らず、他の開口部１２に向う気流の勢いで羽根体１３が他の開口部１２側へ傾動しやすくなり、羽根体１３がその角度を維持できずに急激に傾動して他の開口部１２を閉鎖し、気流通過状態を得られない状況になりがちであるが、前記本体拡張部５０ａを設ける構成とすることで、他の開口部５２に向う気流が、中空部５０ｂから一旦本体拡張部５０ａ内の空間を経由して他の開口部５２に達し、その間に本体拡張部５０ａから中空部５０ｂに戻る向きの気流が生じることから、羽根体５３の他の羽根部材５３ｂが他の開口部５２に近付いた状態では、本体拡張部５０ａから出た気流が羽根部材５３ｂに下向きの圧力を与えつつ向きを変えて他の開口部５２へ進入する状態となり、羽根体５３の他の開口部５２側に向う傾動に対する抵抗を生じさせて羽根体５３による他の開口部５２の急速な閉鎖を防止でき、他の羽根部材５３ｂが他の開口部５２の近くに達した状態でも、それ以前の傾動と同様に羽根体５３の気流の強さに一対一に対応した傾動角度で羽根体５３を傾動させられ、他の開口部５２における開口具合に応じた気流通過を維持できる。
【図面の簡単な説明】
【００５７】
【図１】本発明の一実施形態に係る換気装置の正面概略図である。
【図２】本発明の一実施形態に係る換気装置の断面図である。
【図３】本発明の一実施形態に係る換気装置の羽根体軸部への錘取付状態説明図である。
【図４】本発明の一実施形態に係る換気装置における室内側への空気流入状態説明図である。
【図５】本発明の一実施形態に係る換気装置における室内側への空気流入時の閉止状態説明図である。
【図６】本発明の一実施形態に係る換気装置における外部側への空気流出状態説明図である。
【図７】本発明の一実施形態に係る換気装置における外部側への空気流出時の閉止状態説明図である。
【図８】本発明の一実施形態に係る換気装置の建物内配置状態説明図である。
【図９】本発明の一実施形態に係る換気装置における開口部分割配置状態説明図である。
【図１０】本発明の他の実施形態に係る換気装置の第一例の断面図である。
【図１１】本発明の他の実施形態に係る換気装置の第二例の断面図である。
【符号の説明】
【００５８】
１、２            換気装置
１０、１６、５０  換気装置本体
１０ａ、１６ａ    隔壁部
１０ｂ、１６ｂ、５０ｂ  中空部
１１、１２、１８、１９  開口部
１１ａ、１１ｂ、１２ａ  気密材
１３、１７、５３        羽根体
１３ａ、１３ｂ、５３ｂ  羽根部材
１３ｃ            軸部
１３ｄ            錘
１４              羽根体駆動装置
１５              継手機構
１６ｃ            ストッパ部
１６ｄ            水抜き孔
１７ａ、１７ｂ    羽根部材
２０              窓枠
３０              外部空間
３１              外壁面
４０              室内空間
４１              室内壁面
５０ａ            本体拡張部
５２              開口部
【図１】
0004704200.tif 000002
【図２】
0004704200.tif 000003
【図３】
0004704200.tif 000004
【図４】
0004704200.tif 000005
【図５】
0004704200.tif 000006
【図６】
0004704200.tif 000007
【図７】
0004704200.tif 000008
【図８】
0004704200.tif 000009
【図９】
0004704200.tif 000010
【図１０】
0004704200.tif 000011
【図１１】
0004704200.tif 000012